(57)【要約】【解決する課題】本発明は、その構成が簡易であり、スムーズにネット体を移動するこことができる防球用等のネット体又はシート体、及び防球用等のネット体又はシート体の吊り張り移動方法を提供することを課題とする。【解決手段】空間部に沿って吊り張りするネット又はシートと、該ネット又はシートの吊り張り方向と並行に張設したガイド用ロープを挿通すべくネット又はシートの上下方向に沿って直線状に複数個取り付けられたリングから構成された防球用等のネット体又はシート体において、前記ネット又はシートの上下間でリングを連結する連結用のロープを前記ネット又はシートの上端側に連結する駆動用ロープを用いてネット又はシートの上下両端部分でそれぞれ固定することで形成し、且つ前記駆動用ロープの先端側をネット又はシートの下端側より延出して地面等への固定用のロープを一体的に形成する。【選択図】図１
2014128533.tif 000002
【特許請求の範囲】
【請求項１】
空間部に沿って吊り張りするネット又はシートと、該ネット又はシートの吊り張り方向と並行に張設したガイド用ロープを挿通すべくネット又はシートの上下方向に沿って直線状に複数個取り付けられたリングから構成された防球用等のネット体又はシート体において、前記ネット又はシートの上下間でリングを連結する連結用のロープを前記ネット又はシートの上端側に連結する駆動用ロープを用いて、ネット又はシートの上下両端部分でそれぞれ固定して形成し、且つ前記駆動用ロープの先端側をネット又はシートの下端側より延出して地面等への固定用のロープを一体的に形成することを特徴とする防球用等のネット体又はシート体。
【請求項２】
ネット又はシートの上下方向で直線状に複数個のリングを取り付けてネット体又はシート体を形成した後、該ネット体又はシート体の上下方向に張設したガイド用ロープにリングを挿通するとともに、ウインチで移動する駆動用ロープをネット体又はシート体の上端側に連結し、ウインチで駆動用ロープを移動することでネット体又はシート体をガイド用ロープに沿って昇降移動する防球用等のネット体又はシート体の吊り張り移動方法において、前記ネット又はシートにリングを取り付ける際、前記駆動用ロープを用いてネット又はシートの上下両端側でそれぞれ固定して連結用のロープを形成し該ロープにリングを連結し、さらに前記駆動用ロープの先端側をネット又はシートの下端側より延出し地面に固定する固定用のロープを形成して地面に固定することを特徴とする防球用等のネット体又はシート体の吊り張り移動方法。
【発明の詳細な説明】
【発明の詳細な説明】
【技術分野】
【０００１】本発明は、例えば防球用として使用するネット体、空間部を間仕切りするシート体を吊り張りするのに使用する防球用等のネット体又シート体、及び防球用等のネット体又はシート体の吊り張り移動方法に関する。
【背景技術】
【０００２】従来、例えばゴルフ練習場等の屋外の空間部の外周に沿って囲むように吊り張りする防球用としてのネット体は、屋外に吊り張りしているために風の影響を受けやすく下記のような構成の装置を用いて昇降移動する。【０００３】即ち、ネット体の吊り張り装置としては、空間部の外周に沿って立設した複数本の支柱に取り付けた複数個のエンドレス方式のウインチと、該ウインチの巻回ドラムで移動すべく支柱の上下方向でエンドレス状に架け渡した駆動用ロープと、該駆動用ロープに並行に張設したガイド用ロープと、該ガイド用ロープにリングを介して取り付け、且つ上端側を駆動用ロープに連結したネット体から構成されている。【０００４】上記装置は、ウインチの巻回ドラムを回転駆動することで、駆動用ロープを支柱の上下方向でエンドレス状に移動し、該駆動用ロープに上端側を連結したネット体をガイド用ロープに沿って昇降移動することで、ネット体を空間部に吊り張り及び収納する。【０００５】また、巻き取り方式のウインチを用いる場合は、巻回ドラムで巻き取り移動する駆動用ロープの先端部分をネット体の上端部に連結し、ウインチを駆動し駆動用ロープを巻き取ることでネット体をガイド用ロープに沿って上昇して吊り張りし、駆動用ロープを引き出すことでネット体をガイド用ロープに沿って下降することで地面側に収納する。【０００６】上記ネット体の下端側は、一端側を地面に連結した別体の固定用のロープに連結することで、ネット体の下端側に隙間ができるのを防止している。【０００７】また、前記リングはネットの上下端部で固定した連結用のロープに連結することで直接ネットにリングを連結するような場合に比し、リングとネットとの接触による磨耗を削減している。
【発明が解決しようとする課題】
【０００８】しかしながら、上記従来の駆動用ロープはネット体の上端部分のみを連結しているためにネット体の荷重により連結部分が破損し易く頻繁なメンテナンスを必要とする欠点があった。
【０００９】また、連結用ロープ及び固定用ロープはそれぞれ別体であるために、その取り付け作業が煩雑である欠点があった。
【００１０】そこで、本発明は、上記課題を解決するものであって、構成が簡易であり、且つ確実にネット体を広げた状態で空間部に吊り張りし、また収納することのできる防球用等のネット体又はシート体、及び防球用等のネット体又はシート体の吊り張り移動方法を提供することを課題とするものである。
【課題を解決するための手段】
【００１１】上記課題を解決する本発明の解決手段としての防球用等のネット又はシート体の吊り張り装置は、請求項１に記載のように、空間部に吊り張りするネット又はシートと、該ネット又はシートの吊り張り方向と並行に張設したガイド用ロープを挿通すべくネット又はシートの上下方向に沿って直線状に複数個取り付けられたリングから構成された防球用等のネット体又はシート体において、前記ネット又はシートの上下間でリングを連結する連結用のロープを前記ネット又はシートの上端側に連結する駆動用ロープを用いてネット又はシートの上下両端部分でそれぞれ固定することで形成し、且つ前記駆動用ロープの先端側をネット又はシートの下端側より延出して地面等への固定用のロープを一体的に形成することを特徴とする。
【００１２】また、解決手段としての防球用等のネット体又はシート体の吊り張り移動方法は、請求項２に記載のように、ネット又はシートの上下方向で直線状に複数個のリングを取り付けてネット体又はシート体を形成した後、該ネット体又はシート体の上下方向に張設したガイド用ロープにリングを挿通するとともに、ウインチで移動する駆動用ロープをネット体又はシート体の上端側に連結し、ウインチで駆動用ロープを移動することでネット体又はシート体をガイド用ロープに沿って昇降移動する防球用等のネット体又はシート体の吊り張り移動方法において、前記ネット又はシートにリングを取り付ける際、前記駆動用ロープを形成し該ロープにリングを連結し、さらに前記駆動用ロープの先端側をネット又はシートの下端側より延出し地面に固定する固定用のロープを形成して地面に固定することを特徴とする。
【発明の作用及び効果】
【００１３】本発明の防球用等のネット体又はシート体、及び防球用等のネット体又はシート体の吊り張り移動方法の作用効果について説明する。
【００１４】先ず、請求項１に記載の防球用等のネット体又はシート体は、空間部に設置する大きさに形成されたネット又はシートの上下両端側で移動する駆動用ロープを固定してリングを取り付ける連結用のロープを形成する。
【００１５】これにより、固定用のロープを駆動用ロープを用いて形成することができるために、その形成が容易であり、別体のロープを用いるような煩雑な作業を必要としない。
【００１６】次に、前記駆動用ロープの先端側をネット又はシートの端部側より延出することで、地面に固定する固定用のロープを形成する。
【００１７】これにより、別体のロープを用いるような煩雑な作業を必要としない。
【００１８】上記により、防球用等のネット体又はシート体を形成する。
【００１９】このように、本発明の防球用等のネット体又はシート体は、駆動用ロープを用いてリングの連結用ロープ、及び固定用ロープを同時に形成できるので、簡易に形成することができる。
【００２０】また、各ロープの長さ調整も容易であり、あらゆるネット又はシートに対応することができる。
【００２１】さらに、ネット又はシートへの連結部分での構成が簡易であり、また、ネット体又はシート体を駆動用ロープ全体で引っ張り移動するために、従来のようにネット体又はシート体の上端側のみで引っ張りするのに比し、一点に負荷が集中することなくネット体又はシート体の破損等の原因とならない。
【００２２】次に、請求項２に記載の防球用等のネット体又はシート体の吊り張り移動方法は、ウインチで駆動移動する駆動用ロープをネット又はシートの両端側で固定して連結用のロープを形成し、該連結用のロープにリングを連結することでネット体又はシート体を形成する。
【００２３】その後、前記ネット体又はシート体の上下方向に張設したガイド用ロープに前記リングを挿通し、前記駆動用ロープの先端側を延出して形成した固定用のロープを用いて地面に固定する。
【００２４】その後、ウインチで駆動用ロープを移動することで、ガイド用ロープに沿ってネット体又はシート体を昇降移動し、ネット体又はシート体を吊り張り及び収納することができる。
【００２５】このように、本発明の防球用等のネット体又はシート体の吊り張り移動方法は、ネット体又はシート体を簡易に構成することができる。
【００２６】また、駆動用ロープをネット又はシートに一体的に設けているために、駆動用ロープ全体でネット体又はシート体を移動するために、ネット体又はシート体の破損が少なく、頻繁なメンテナンスを必要としない。
【発明を実施するための最良の形態】
【００２７】次に、本発明に係る防球用等のネット体又はシート体、及び防球用等のネット体又はシート体の吊り張り移動方法の各実施例を、図面を参照して説明する。【００２８】図１は本発明の防球用等のネット体又はシート体の第１実施例を示す概略説明正面図であり、図２、図３は図１の防球用等のネット体又はシート体の上部側の補強状態を示す概略説明正面図であり、図４、図５は防球用等のネット体又はシート体の上部側の補強状態の他実施例を示す概略説明平面図であり、図６は防球用等のネット体又はシート体の下端側の固定用のロープを示す概略説明側面図であり、図７は防球用等のネット体及びシート体の取り付け状態を示す概略説明側面図であり、図８は防球用等のネット体又はシート体の取り付け状態を示す概略説明平面図であり、図９は本発明の防球用等のネット体及びシート体の形成方向を示すフローチャートを示し、図１０は防球用等のネット体又シート体の吊り張り移動方法を示すフローチャートである。【００２９】（第１実施例）
本発明のネット体１は、空間部の外周に沿って吊り張りする長尺矩形状のネット２と、該ネット２の上端側を補強すべく水平に吊り張りする上部補強用ロープ３と、ネット２の下端側に固定した下部補給用ロープ４と、前記上部補強用ロープ３と下部補強用ロープ４に所望の間隔で上下が直線状に対応すべく固定した連結板５と、上部連結板５より直線状に挿入して下部の連結板５を介して先端側を所望の長さ延出したウインチ１０で移動する複数本の駆動用ロープ６から構成されている。【００３０】前記各駆動用ロープ６は、ネット２の上下の連結板５間で該ネット２の上下幅に応じて長さの駆動用ロープ６が固定される。尚、連結板５は上部補強用ロープ３、及び下部補強用ロープ４に沿って移動することができ、上下が直線状となるように微調整することができる。【００３１】これにより、複数個のリング７を直線状に連結する連結用のロープ１１を形成し、ネット２に直接リング７を取り付けることなくリング７を取り付けできる。【００３２】また、前記駆動用ロープ６の先端側をネット２の下端側より延出した部分を地面に固定する固定用のロープ１２を形成する。【００３３】これにより、別体のロープをネット２の下端側に連結して固定用のロープ１２を形成するような煩雑な作業を行うことなく固定用のロープ１２を形成することができる。【００３４】また、ネット２の下端側には保護ネット８が取り付けられ、ネット２の下部の隙間を防止すべく吊り張りする。【００３５】尚、上記ネット２の上端側及び下端側の補強は上記補強用ロープ３との連結に限定されるものでなく、例えば、ネット２の上端側を袋状に形成し、該袋部分９に補強用ロープ３を挿通し、該補強用ロープ３に連結板５を固定することも可能である。【００３６】このように、本発明の防球用等のネット体１は構成され、次に該防球用等のネット体１を用いて、ゴルフ練習場で吊り張り移動する場合について説明する。【００３７】先ず、屋外の空間部の外周に沿って複数の支柱２０を立設し、ガイド用ロープ２２を該支柱２０の上端側の固定板２１に一端側を固定し、他端側を支柱２０の内側の地面側に固定して張設する。【００３８】次に、前記支柱２０の下端側に巻き取り方式のウインチ１０を取り付け、駆動用ロープ６を支柱２０の上端側の滑車１１を介して引き出し移動する。【００３９】次に、空間部に沿って形成したネット２の上端側の上部補強用ロープ３に固定された連結板５に挿通し、ネット２の下端側の下部補強用ロープ４に固定した連結板５を介して先端側をネット２の下端側より延出した後、前記上下の連結板５により駆動用ロープ６をネット２に直線状に固定する。【００４０】これにより、ネット２部分に位置する駆動用ロープ６はリング７を固定する連結用のロープ１１を形成し、ネット２の下端側より延出した駆動用ロープ６の先端側を地面への固定用のロープ１２を形成することができる。【００４１】これにより、空間部に沿って吊りするネット体１の設置部分の上下方向で距離が相違しても自在に対応することができ、また、駆動用ロープ６の設置部分でネット体１の下端側を固定することができ、あらゆる形状のネット体１に対応することができる。【００４２】次に、固定用のロープ１２を地面に埋設された固定輪１３に連結することで、ネット２の下端側を地面に固定でき、ネット２の下部側の補助ネット８で隙間を防止することができる。【００４３】この状態で、ウインチ１０で駆動用ロープ６を巻き取り移動すると、ガイド用ロープ２２に沿ってネット体１を上方に移動し空間部を吊り張りする。【００４４】また、風の強い日においては、ウインチ１０で駆動用ロープ６を引出し移動することでネット体１をガイド用ロープ２２に沿って下方に収納移動することができる。【００４５】上記ネット体１は固定用のロープ１２部分まで一体的に形成されているために、ネット体１を駆動用ロープ６全体で移動することができ、ネット体１をスムーズに移動することができる。【００４６】しかも、ネット体１の荷重を分散して移動することができ、ネット体１の上端側の破損や磨耗を解消することができる。【００４７】上記のように、本発明の防球用等のネット体１は、駆動用ロープ６を用いて、ネット体１を形成することで、従来にないスムーズなネット体１の形成作業を可能とすることができる。【００４８】また、駆動用ロープ６をネット体１に連結することで、ネット体１の形成が簡易であり、ネット体１の設置作業をスムーズに行える。【００４９】尚、上記実施例では、防球用のネット体１として形成したが、本発明において、ネット体１は防球用に限定されるものでなく、例えば、間仕切り用のネット体１として形成することも可能である。【００５０】また、上記実施例では、ネット体１として使用したが、本発明においてネット体１に限定されるものでなく、例えば、簡易テントを形成するシート体１として使用することも可能である。
【図面の簡単な説明】
【００５１】
【図１】本発明の防球用等のネット体又はシート体の第１実施例を示す概略説明正面図
【図２】図１の防球用等のネット体又はシート体の上端側の補強状態を示す概略説明正面図
【図３】図１の防球用等のネット体又はシート体の上端側の補強状態を示す概略説明正面図
【図４】図１の防球用等のネット体又はシート体の上端側の補強状態の他実施例を示す概略説明正面図
【図５】図１の防球用等のネット体又はシート体の上端側の補強状態の他実施例を示す概略説明正面図
【図６】防球用等のネット体又はシート体の下端側の固定用のロプを示す概略説明側面図
【図７】防球用等のネット体又はシート体の取り付け状態を示す概略説明側面図
【図８】防球用等のネット体又はシート体の取り付け状態を示す概略説明正面図
【図９】本発明の防球用等のネット体又はシート体の形成方法を示すフローチャート
【図１０】本発明の防球用等のネット体又はシート体の吊り張り移動方法を示すフローチャート
【符号の説明】
【００５２】１−ネット体、２−ネット、６−駆動用ロープ、７−リング、２２−ガイド用ロープ
【図１】
2014128533.tif 000003
【図２】
2014128533.tif 000004
【図３】
2014128533.tif 000005
【図４】
2014128533.tif 000006
【図５】
2014128533.tif 000007
【図６】
2014128533.tif 000008
【図７】
2014128533.tif 000009
【図８】
2014128533.tif 000010
【図９】
2014128533.tif 000011
【図１０】
2014128533.tif 000012